(57)【要約】【課題】消去部材の紛失を防止すると共に消去動作時の消去部材の位置を容易に調整可能な消去部材を備えた筆記具を提供する。【解決手段】筆記具１が、筆記具本体４０と、該筆記具本体の中心軸線に対して垂直な軸線Ｒ周りに回転可能なクリップ１０と、該クリップの外表面に設けられた消去部材５０と、を具備する。筆記具１は、熱変色性インクを収容する熱変色性筆記具であり、消去部材５０は、擦過した際に生じる摩擦熱によって熱変色性インクの筆跡を熱変色可能なゴム弾性材料からなる。【選択図】図１
2020073346.tif 000002
【特許請求の範囲】
【請求項１】
筆記具本体と、熱変色性インクを収容し且つ前記筆記具本体内に収容された複数の筆記リフィールと、前記筆記具本体の後端に配置されたクリップ固定体と、該クリップ固定体の後方の収納部に配置された第１消去部材と、前記クリップ固定体の後端に嵌合する天冠部とを具備し、
前記天冠部が前記第１消去部材の後端面を覆い、前記天冠部には前記第１消去部材よりも小さい貫通孔が形成され、
前記天冠部と前記第１消去部材との間に空間が形成され、
前記第１消去部材が、擦過した際に生じる摩擦熱によって前記熱変色性インクの筆跡を熱変色可能なゴム弾性材料からなり、
クリップと、該クリップの外表面に設けられ且つ第１消去部材と異なる形状の第２消去部材と、をさらに具備し、
前記クリップが、クリップ基部と、クリップ本体と、前記クリップ基部及び前記クリップ本体間に物品を挟持することが可能となるように前記クリップ本体を付勢するコイルバネとを有し、
前記クリップ基部が、前記クリップ固定体に対して回転可能に連結されていることを特徴とする回転繰り出し式の筆記具。
【請求項２】
前記天冠部には複数の前記貫通孔が形成されており、
前記第２消去部材が、前記クリップに対して着脱可能であり、前記クリップには鍵状貫通孔が形成され、前記第２消去部材が、前記鍵状貫通孔内に挿入することができる係止フランジ部及び接続軸とを有していることを特徴とする請求項１に記載の回転繰り出し式の筆記具。
【発明の詳細な説明】
【技術分野】
【０００１】
本発明は、消去部材を備えた筆記具、特に熱変色インクによる筆跡を擦過して消色する消去部材を備えた筆記具に関する。
【背景技術】
【０００２】
消しゴム付き鉛筆のように、筆記具によって紙面等に描かれた筆跡をその筆記具に備わる消去部材によって消去可能とする構成が周知である。特に、熱変色性インクを収容する熱変色性筆記具においては、消去部材として、筆跡を擦過し摩擦熱を生じさせる摩擦体を備えた構成が公知である（例えば、特許文献１及び２）。
【０００３】
特許文献１に記載の熱変色性筆記具は、クリップ形状の摩擦体を有し、摩擦体に設けられた取付孔の内面を筆記具本体の後部外面に嵌合させることで、摩擦体が筆記具本体に対して着脱可能となっている。
【０００４】
特許文献２に記載の熱変色性筆記具は、クリップの先端部分に別体で設けられた摩擦体を有し、クリップ自体が筆記具本体に対して着脱可能となっている。
【先行技術文献】
【特許文献】
【０００５】
【特許文献１】特開２０１１−２３０４４８号公報
【特許文献２】特開２０１２−０９６３８８号公報
【発明の概要】
【発明が解決しようとする課題】
【０００６】
特許文献１及び２に記載の熱変色性筆記具の摩擦体は、筆記具本体に対して取り付けられた状態では筆記具本体の側面に位置することから、筆記具本体自体の長さが、擦過時にその動作を阻害する虞がある。すなわち、擦過時に、摩擦体をユーザの所望の位置に配置できない虞がある。
【０００７】
また、特許文献１に記載のクリップ形状の摩擦体又は特許文献２に記載のクリップに設けられた摩擦体は、筆記具本体に対して容易に着脱可能となっていることから、意図せず外れて紛失する可能性がある。その結果、筆跡を消去することができないだけでなく、クリップの機能も果たせないことから、筆記具をポケットや手帳等に狭持することができず、利便性が著しく低下する虞がある。
【０００８】
そこで、本発明は、消去部材の紛失を防止すると共に消去動作時の消去部材の位置を容易に調整可能な消去部材を備えた筆記具を提供することを目的とする。
【課題を解決するための手段】
【０００９】
請求項１に記載の発明によれば、筆記具本体と、熱変色性インクを収容し且つ前記筆記具本体内に収容された複数の筆記リフィールと、前記筆記具本体の後端に配置された第１消去部材と、前記筆記具本体の後端に配置された天冠部とを具備し、前記天冠部が前記第１消去部材の後端面を覆い、前記天冠部には前記第１消去部材よりも小さい貫通孔が形成され、前記筆記具本体の中心軸線に対して垂直な軸線周りに回転可能なクリップと、該クリップの外表面に設けられた第２消去部材と、をさらに具備し、前記第２消去部材が前記クリップの物品を把持する先端側と前記クリップの後端側とに係合して設けられ、前記クリップの回転軸がその後端側に配置されていることを特徴とする回転繰り出し式の筆記具が提供される。
【００１０】
また、請求項２に記載の発明によれば請求項１に記載の発明において、前記天冠部が前記筆記具本体の後端に嵌合すると共に、前記天冠部と前記第１消去部材との間に空間が形成されていることを特徴とする筆記具が提供される。
【００１１】
また、請求項３に記載の発明によれば請求項１又は２に記載の発明において、前記第２消去部材が、前記クリップに対して着脱可能であることを特徴とする筆記具が提供される。
【００１２】
すなわち、請求項１又は３に記載の発明では、消去部材の紛失が防止されると共に消去動作時の消去部材の位置が容易に調整可能になる。また、消去部材が使用によって摩耗した場合に、新しいものと交換することができる。さらに、クリップを回転させた際、消去部材は筆記具の把持部から最も離れた場所に位置することになるので、ユーザの持ち手と消去部材とが接触することなく快適に筆記することができ且つ消去時にはクリップを把持しながら容易に消去することができる。
【００１３】
なお、前記第１消去部材又は前記第２消去部材が、擦過した際に生じる摩擦熱によって前記熱変色性インクの筆跡を熱変色可能なゴム弾性材料からなるようにしてもよい。
【発明の効果】
【００１４】
各請求項に記載の発明によれば、消去部材の紛失が防止されると共に消去動作時の消去部材の位置が容易に調整可能になるという共通の効果を奏する。
【図面の簡単な説明】
【００１５】
【図１】本発明の第１実施形態による消去部材を備えた筆記具の正面図である。
【図２】図１の線Ａ−Ａにおける断面図である。
【図３】（ａ）はクリップ基部の背面図であり、（ｂ）は（ａ）の線Ｂ−Ｂにおけるクリップ基部の断面図である。
【図４】（ａ）はクリップ固定体の正面図であり、（ｂ）は（ａ）の線Ｃ−Ｃにおけるクリップ固定体の断面図である。
【図５】（ａ）は板バネの正面図であり、（ｂ）は（ａ）の線Ｄ−Ｄにおける板バネの断面図である。
【図６】図１に示された筆記具のクリップを９０度回転させた状態を示す図である。
【図７】図１に示された筆記具のクリップを１８０度回転させた状態を示す図である。
【図８】本発明の第２実施形態による消去部材を備えた筆記具の正面図である。
【図９】図８の線Ｅ−Ｅにおける断面図である。
【図１０】図８に示された消去部材の斜視図である。
【図１１】本発明の第３実施形態による消去部材を備えた筆記具の正面図である。
【図１２】図１１の線Ｆ−Ｆにおける断面図である。
【図１３】図１１に示された消去部材の斜視図である。
【図１４】本発明の第４実施形態による消去部材を備えた筆記具の正面図である。
【図１５】図１４の線Ｇ−Ｇにおける断面図である。
【図１６】（ａ）は図１１に示された消去部材の斜視図であり、（ｂ）は図１１に示された消去部材の底面図である。
【図１７】図１１に示された筆記具のクリップ本体の正面図である。
【発明を実施するための形態】
【００１６】
以下、図面を参照しながら本発明の実施の形態を詳細に説明する。全図面に渡り、対応する構成要素には共通の参照符号を付す。
【００１７】
図１は、本発明の第１実施形態による消去部材５０を備えた筆記具１の正面図であり、図２は、図１の線Ａ−Ａにおける断面図である。
【００１８】
筆記具１は、クリップ１０と、クリップ固定体２０と、板バネ３０と、筆記具本体４０とを有する。筆記具本体４０は、先口４１と、先口４１を先端に備える先軸４２と、後軸４３と、後軸４３の後端に嵌合する天冠部４４とを有する。筆記具１は、先軸４２と後軸４３とを相対的に回転させて筆記具本体４０内に収容された筆記リフィール（図示せず）を先口４１先端に設けられた開口部、すなわち筆記先端部４１ａから繰り出す回転繰り出し式の筆記具である。
【００１９】
また、筆記具本体４０内には複数の筆記リフィールを収容することもできる。筆記リフィールは、熱変色インクを収容したボールペン、熱変色芯を収容したシャープペンシル、鉛筆ホルダー等が挙げられる。なお、本明細書中では、筆記具１の軸線方向において、筆記先端部４１ａ側を「前」側と規定し、筆記先端部とは反対側を「後」側と規定する。
【００２０】
クリップ１０は、クリップ基部１１とクリップ本体１２とを有する。クリップ基部１１とクリップ本体１２とは、ピン１３によって枢動可能に連結され、ピン１３による連結部より後方のクリップ基部１１及びクリップ本体１２間には、コイルバネ１４が配置される。コイルバネ１４は、クリップ本体１２をクリップ基部１１から離間する方向に付勢している。その結果、クリップ本体１２はピン１３周りに枢動し、クリップ本体１２の前端はクリップ基部１１に対して付勢される。従って、クリップ基部１１及びクリップ本体１２間に紙等の物品を挟持することが可能となる。
【００２１】
なお、本実施形態におけるクリップ１０は、クリップ基部１１、クリップ本体１２及びコイルバネ１４等の複数の部材から構成されるが、弾性を有する部材を用いて物品を挟持するような全体として前方に開いた略Ｕ字形状の一部品として形成してもよい。
【００２２】
本実施形態では、クリップ本体１２の先端部分に二色成形によって消去部材５０が設けられている。消去部材５０は、二色成形以外に接着等で一体に形成してもよく、クリップ本体１２の外表面に設けられる限りにおいて、先端のみならずクリップ本体１２の半分又は全部を消去部材５０で形成してもよい。同様に、クリップ本体１２の後端部分に消去部材５０を設けてもよい。
【００２３】
筆記具１は、クリップ１０が筆記具本体４０の中心軸線に対して垂直な回転軸線Ｒ周りに回転可能に構成されている。この回転機構について、図３及び図４を参照しながら説明する。
【００２４】
図３は、（ａ）はクリップ基部１１の背面図であり、（ｂ）は（ａ）の線Ｂ−Ｂにおけるクリップ基部１１の断面図である。クリップ基部１１の背面、すなわち筆記具本体４０に対向する面の後方には、クリップ基部１１の背面に対して垂直に突出する挿通軸１７が形成されている。この挿通軸１７の先端部には、フランジ部１６が形成されている。フランジ部１６の径は、挿通軸１７の径よりも大きく形成される。さらに、挿通軸１７の根本であって、クリップ基部１１の背面には、後述するクリップ固定体２０に設けられた凹部２３と嵌合する径方向に延びる複数の凸部１８が形成されている。この凸部１８は、９０度間隔で周方向に均等に形成されている。
【００２５】
図４は、（ａ）はクリップ固定体２０の正面図であり、（ｂ）は（ａ）の線Ｃ−Ｃにおけるクリップ固定体２０の断面図である。クリップ固定体２０は、後軸４３の外径寸法を内径寸法とすることで後軸４３に取り付けられるリング形状の部材である。クリップ基部１１がクリップ固定体２０に対して回転可能に連結され、それによって、クリップ１０が筆記具本体４０に対して回転可能に連結される。
【００２６】
クリップ固定体２０の一側面には、クリップ支持箱２１が形成されている。クリップ支持箱２１内には板バネ受入空間２１ａが形成され、クリップ支持箱２１の外表面には、挿通孔２２と、凹部２３と、ストッパー部２４とが形成されている。後述するように、板バネ受入空間２１ａ内には板バネ３０が挿入され、挿通孔２２には、クリップ基部１１の挿通軸１７及びフランジ部１６が挿入される。
【００２７】
詳細に説明すると、挿通孔２２の周囲に径方向に延びる複数の凹部２３が設けられており、この凹部２３は４５度間隔で周方向に均等に形成されている。隣接する凹部２３間は凸状となっており、クリップ１０の回転時には、クリップ本体１２に設けられた凸部１８が、嵌合する凹部２３から外れて隣接する凸状部分に乗り上げる。このとき、クリップ本体１２の前後方向の動きは、凹部２３の前後方向に設けられたストッパー部２４により規制される。なお、このストッパー部２４は前後のいずれか一方であってもよい。
【００２８】
クリップ固定体２０の内方には、後軸受入空間２１ｂが形成され、この空間内に後軸４３との嵌合部２５が形成されている。嵌合部２５が後軸４３の後部と嵌合することで、クリップ固定体２０が後軸４３に対して固定される。
【００２９】
クリップ１０に設けられた消去部材５０に加え、さらなる消去部材６０をクリップ固定体２０の後方の収納部２６に配置してもよい。
【００３０】
図５は、（ａ）は板バネ３０の正面図であり、（ｂ）は（ａ）の線Ｄ−Ｄにおける板バネ３０の断面図である。弾性部材からなる板バネ３０は、その中心に一端が開放された開放部３５が形成された板バネスリット３１が形成されている。また、板バネスリット３１方向に沿って凹面３４と凸面３３とが形成されている。凹面３４は凸面３３の両側に形成されている。さらに、開放部３５とは反対位置に抜け止め部３２が形成されている。抜け止め部３２の後端面を他の部材に当接させることによって、板バネ３０の抜けを防止することができる。本実施形態においては、図２示されるように後軸４３に対して当接させることで、板バネ３０の抜けを防止している。
【００３１】
次に、筆記具１の組立方法について説明する。まず、クリップ１０のクリップ基部１１背面に設けられたフランジ部１６と挿通軸１７とを、クリップ固定体２０の挿通孔２２に挿通させる。次いで、板バネ３０の凸面３３側をフランジ部１６側に向けながら、板バネ３０をフランジ部１６とクリップ固定体２０との間、すなわち板バネ受入空間２１ａ内に挿入する。このとき、板バネ３０の板バネスリット３１の開放部３５側から挿通軸１７を、板バネスリット３１内に通す。この状態で、板バネ３０の抜け止め部３２と後軸４３とが当接するため、板バネ３０の抜けが防止される。
【００３２】
さらに、板バネ３０は、凸面３３及び凹面３４形状を有するため、クリップ１０がクリップ固定体２０から抜ける方向の力に抗する付勢力を生じさせる。すなわち、クリップ１０に対してクリップ固定体２０から抜ける方向の力が作用すると、板バネ３０の凸面３３及び凹面３４の凹凸が無くなるように変形するが、それを戻そうとする弾発力が発生する。この弾発力は、板バネスリット３１を通して板バネ３０を貫通するフランジ部１６に対して作用し、結果として、クリップ１０がクリップ固定体２０から抜ける方向の力に抗する付勢力を生じる。
【００３３】
上述のように組み立てられた筆記具１は、筆記具本体４０に対してクリップ１０を回転させることができる。クリップ１０の回転は、クリップ基部１１の挿通軸１７の軸線周り、すなわち筆記具本体４０の中心軸線に対して垂直な回転軸線Ｒ周りに行われる。クリップ１０を回転させると、上述のように、板バネ３０の付勢力に抗してクリップ基部１１背面に形成された凸部１８とクリップ固定体２０に形成された凹部２３との嵌合が外れ、自由に回転できるようになる。クリップ基部１１の凸部１８は、クリップ１０が所定の角度だけ回転すると、板バネ３０の付勢力によって異なる凹部２３に嵌合し、クリップの回転が停止する。
【００３４】
図６は、図１に示された筆記具１のクリップを９０度回転させた状態を示す図であり、図７は、図１に示された筆記具１のクリップを１８０度回転させた状態を示す図である。当然のことながら、クリップ基部１１の複数の凸部１８及びクリップ支持箱２１の複数の凹部２３の周方向の配置間隔は、上述した実施形態と異なる間隔であってもよい。
【００３５】
本実施形態における筆記具１の筆記リフィールは、熱変色性インクを収容する。熱変色性インクとは、常温（例えば２５℃）で所定の色彩（第１色）を維持し、所定温度（例えば６０℃）まで昇温させると別の色彩（第２色）へと変化し、その後、所定温度（例えば−５℃）まで冷却させると、再び元の色彩（第１色）へと復帰する性質を有するインクを言う。熱変色性インクを用いた筆記具１では上記第２色を無色とし、第１色（例えば赤）で筆記した描線を昇温させて無色とすることを、ここでは「消去する」ということとする。従って実施形態では、描線が筆記された紙面等に対して摩擦体としての消去部材５０によって擦過して摩擦熱を生じさせ、それによって描線を無色に変化、すなわち消去させる。なお、当然のことながら上記第２色は、無色以外の有色でもよい。
【００３６】
摩擦体としての消去部材５０を形成する材料として、シリコーンゴム、ニトリルゴム、エチレンプロピレンゴム、エチレンプロピレンジエンゴム等のゴム材質やスチレン系エラストマー、オレフィン系エラストマー、ポリエステル系エラストマー等の熱可塑性エラストマーといったゴム弾性材料、２種以上のゴム弾性材料の混合物、及び、ゴム弾性材料と合成樹脂との混合物、市販されている消しゴム等が挙げられる。
【００３７】
クリップ基部１１とクリップ本体１２とクリップ固定体２０とを形成する材料として、ポリカーボネート、アクリロニトリル・ブタジエン・スチレン等の合成樹脂が挙げられる。
【００３８】
なお、本発明における「消去」とは、上記熱変色性インクを用いた場合以外にも、筆記した描線、文字等を消しゴム等の消去部材５０で吸着又は削ぎ落とすことをいう。従って、本発明の上記実施形態及び以下の実施形態は、筆記した描線を、消去部材５０を用いて消去する任意の筆記具にも適用可能である。
【００３９】
本実施形態の筆記具１によれば、クリップ本体１２と消去部材５０とが一体となっており、また、クリップ本体１２がピン１３によってクリップ基部１１に連結されていることから、消去部材５０の紛失が防止されるという利点がある。また、クリップ１０が筆記具本体４０に対して回転可能であることから、消去動作時の消去部材５０の位置を容易に調整可能となるという利点がある。さらに、クリップ１０を回転させた際、消去部材５０は筆記具の把持部から最も離れた場所に位置することになるので、ユーザの持ち手と消去部材５０とが接触することなく快適に筆記することができ且つ消去時にはクリップ１０を把持しながら容易に消去することができる。
【００４０】
図８は、本発明の第２実施形態による消去部材１５０を備えた筆記具１００の正面図であり、図９は、図８の線Ｅ−Ｅにおける断面図であり、図１０は、図８に示された消去部材１５０の斜視図である。筆記具１００は、クリップ１１０と、クリップ固定体２０と、板バネ３０と、筆記具本体４０とを有する。筆記具１００は、第１実施形態による消去部材５０を備えた筆記具１と、クリップ本体の形状及び消去部材の形状においてのみ異なり、その他の点について両者は同一である。
【００４１】
クリップ１１０は、クリップ基部１１とクリップ本体１１２とを有する。クリップ本体１１２の先端部には貫通孔１１２ａが形成されており、貫通孔１１２ａには消去部材１５０が取り付けられる。
【００４２】
消去部材１５０は、消去部１５１と係止フランジ部１５２と消去部１５１及び係止フランジ部１５２間を接続する接続軸１５３とを有し、これらは一体に形成されている。消去部材１５０は、クリップ本体１１２の外表面側から貫通孔１１２ａ内に係止フランジ部１５２を圧入することによって、クリップ本体１１２に取り付けられる。接続軸１５３の軸方向長さは、クリップ本体１１２の厚みと同等に設定され、従って、消去部材１５０は、緩むことなくクリップ本体１１２に取り付けられる。
【００４３】
消去部材１５０及びクリップ本体１１２の材質については、第１実施形態による消去部材５０及びクリップ本体１２とそれぞれ同様である。本実施形態による消去部材１５０の消去部１５１は半球状であるが、その他任意の形状であってもよい。また、消去部１５１と係止フランジ部１５２と接続軸１５３とは、別部材に形成してもよい。
【００４４】
本実施形態の筆記具１００によれば、上述した第１実施形態の筆記具１によって得られる利点に加え、消去部材１５０が使用によって摩耗した場合に、新しいものと交換することができるというさらなる利点がある。
【００４５】
図１１は、本発明の第３実施形態による消去部材２５０を備えた筆記具２００の正面図であり、図１２は、図１１の線Ｆ−Ｆにおける断面図であり、図１３は、図１１に示された消去部材２５０の斜視図である。筆記具２００は、クリップ２１０と、クリップ固定体２０と、板バネ３０と、筆記具本体４０とを有する。筆記具２００は、第１実施形態による消去部材５０を備えた筆記具１と、クリップ本体の形状及び消去部材の形状においてのみ異なり、その他の点について両者は同一である。
【００４６】
クリップ２１０は、クリップ基部１１とクリップ本体２１２とを有する。クリップ本体２１２の外表面にはその全体を覆う別体の消去部材２５０が取り付けられる。消去部材２５０は、両端に第１係止爪部２５０ａと第２係止爪部２５０ｂとを有する細長い形状の部材である。消去部材２５０は、第１係止爪部２５０ａと第２係止爪部２５０ｂとを、クリップ本体２１２の前後の端部に係合させることによって、クリップ本体２１２に取り付けられる。
【００４７】
消去部材２５０及びクリップ本体２１２の材質については、第１実施形態による消去部材５０及びクリップ本体１２とそれぞれ同様である。本実施形態による消去部材２５０の全体形状は矩形であるが、曲線状等その他の形状で形成してもよい。
【００４８】
本実施形態の筆記具２００によれば、上述した第１実施形態の筆記具１によって得られる利点に加え、消去部材２５０が使用によって摩耗した場合に、新しいものと交換することができるというさらなる利点がある。
【００４９】
図１４は、本発明の第４実施形態による消去部材３５０を備えた筆記具３００の正面図であり、図１５は、図１４の線Ｇ−Ｇにおける断面図であり、図１６は、（ａ）は図１１に示された消去部材３５０の斜視図であり、（ｂ）は図１１に示された消去部材３５０の底面図であり、図１７は、図１１に示された筆記具３００のクリップ本体３１２の正面図である。
【００５０】
筆記具３００は、クリップ３１０と、クリップ固定体２０と、板バネ３０と、筆記具本体４０とを有する。筆記具３００は、第１実施形態による消去部材５０を備えた筆記具１と、クリップ本体の形状及び消去部材の形状においてのみ異なり、その他の点について両者は同一である。
【００５１】
クリップ３１０は、クリップ基部１１とクリップ本体３１２とを有する。クリップ本体３１２には鍵状貫通孔３１２ａが形成されており、鍵状貫通孔３１２ａには消去部材３５０が取り付けられる。鍵状貫通孔３１２ａは、後述するように、消去部材３５０が所定の姿勢で取り付ける場合にのみ、係止フランジ部３５２及び接続軸３５３の通過を可能とするような軸非対称形状とされている。
【００５２】
消去部材３５０は、消去部３５１と係止フランジ部３５２と消去部３５１及び係止フランジ部３５２間を接続する接続軸３５３とを有し、これらは一体に形成されている。消去部３５１は、平坦な頂部３５１ａと対向して配置される凸状の側面である２つの曲面部３５１ｂと曲面部３５１ｂ間を滑らかに接続する稜線部３５１ｃとを有する。
【００５３】
接続軸３５３は円形の横断面形状を有するのに対し、係止フランジ部３５２は略長方形の横断面形状を有する。係止フランジ部３５２の長辺の長さは、接続軸３５３の径よりも大きく形成されている。消去部材３５０の係止フランジ部３５２及び接続軸３５３における接続軸３５３の軸線方向に投影された形状及び大きさは、クリップ本体３１２の鍵状貫通孔３１２ａに内包されるように決定される。また、係止フランジ部３５２は、その長手方向が消去部材３５０の長手方向に対して垂直となるように配置される。
【００５４】
消去部材３５０は、消去部３５１の長手方向がクリップ本体３１２の長手方向に対して垂直となる状態で押圧することによって、鍵状貫通孔３１２ａ内に係止フランジ部３５２及び接続軸３５３を挿入することができ、クリップ本体３１２に取り付けられる。次いで、消去部材３５０を９０度回転させることで取り付けが完了する。接続軸３５３の軸方向長さは、クリップ本体３１２の厚みと同等に設定され、従って、消去部材３５０は、緩むことなくクリップ本体３１２に取り付けられる。当然のことながら鍵状貫通孔３１２ａと対向する係止フランジ部３５２及び接続軸３５３の横断面形状は、同様の目的を達成できる限りにおいて異なる形状であってもよい。
【００５５】
消去部材３５０及びクリップ本体３１２の材質については、第１実施形態による消去部材５０及びクリップ本体１２とそれぞれ同様である。本実施形態による消去部材３５０の消去部３５１は、その他任意の形状であってもよい。また、消去部３５１と係止フランジ部３５２と接続軸３５３とは、別部材に形成してもよい。
【００５６】
本実施形態の筆記具３００によれば、上述した第１実施形態の筆記具１によって得られる利点に加え、消去部材３５０が使用によって摩耗した場合に、新しいものと交換することができるというさらなる利点がある。また、クリップ本体３１２が鍵状貫通孔３１２ａを有することによって、消去部材３５０が容易に抜けにくいという利点もある。さらに、消去部材３５０が、頂部３５１ａと曲面部３５１ｂと稜線部３５１ｃとを有することから、消去したい面積及び形状に応じて擦過する部位をユーザが自由に選択することが可能となるという利点もある。
【符号の説明】
【００５７】
１    筆記具
１０    クリップ
２０    クリップ固定体
３０    板バネ
４０    筆記具本体
５０    消去部材
Ｒ    回転軸線
【図１】
2020073346.tif 000003
【図２】
2020073346.tif 000004
【図３】
2020073346.tif 000005
【図４】
2020073346.tif 000006
【図５】
2020073346.tif 000007
【図６】
2020073346.tif 000008
【図７】
2020073346.tif 000009
【図８】
2020073346.tif 000010
【図９】
2020073346.tif 000011
【図１０】
2020073346.tif 000012
【図１１】
2020073346.tif 000013
【図１２】
2020073346.tif 000014
【図１３】
2020073346.tif 000015
【図１４】
2020073346.tif 000016
【図１５】
2020073346.tif 000017
【図１６】
2020073346.tif 000018
【図１７】
2020073346.tif 000019
【手続補正書】
【提出日】令和2年3月5日(2020.3.5)
【手続補正１】
【補正対象書類名】特許請求の範囲
【補正対象項目名】全文
【補正方法】変更
【補正の内容】
【特許請求の範囲】
【請求項１】
筆記具本体と、熱変色性インクを収容し且つ前記筆記具本体内に収容された複数の筆記リフィールと、前記筆記具本体に配置されたクリップと、該クリップの後方に配置された第１消去部材と、前記クリップの外表面に設けられた第２消去部材とを具備し、
前記第１消去部材及び前記第２消去部材が、擦過した際に生じる摩擦熱によって前記熱変色性インクの筆跡を熱変色可能なゴム弾性材料からなることを特徴とする繰り出し式の筆記具。
【請求項２】
前記第２消去部材が、前記クリップに対して着脱可能であり、前記クリップには貫通孔が形成され、前記第２消去部材が、前記貫通孔内に挿入することができる接続軸を有していることを特徴とする請求項１に記載の繰り出し式の筆記具。
【請求項３】
前記第２消去部材には第１係止部及び第２係止部が設けられ、前記第１係止部と前記第２係止部とを前記クリップに係合させることによって、前記第２消去部材が前記クリップに取り付けられることを特徴とする請求項１又は２に記載の繰り出し式の筆記具。